(57)【要約】【課題】引出形収納機器の位置検出スイッチの取付け調整作業を容易なものとする。【解決手段】箱体１の床板６上を移動する真空遮断器のような引出形収納機器２と、引出形収納機器２の正面側に設けられた軸方向に移動自在に移動するインターロックピン９と、インターロックピン９が貫通するとともに、引出形収納機器２が主回路と接続する接続位置の床板６に設けられた第１の貫通孔１０と、インターロックピン９の先端が当接して動作する第１の位置検出スイッチ２０とを備えたことを特徴とする。【選択図】  図１
2014143867.tif 000002
【特許請求の範囲】
【請求項１】
箱体の床板上を移動する引出形収納機器と、
前記引出形収納機器の正面側に設けられたインターロックピンと、
前記インターロックピンが貫通するとともに、前記引出形収納機器が主回路と接続する接続位置の前記床板に設けられた第１の貫通孔と、
前記インターロックピンの先端が当接して動作する第１の位置検出スイッチと、
を備えたことを特徴とする引出形収納機器の位置検出装置。
【請求項２】
前記インターロックピンが貫通するとともに、前記引出形収納機器が主回路と断路する断路位置の前記床板に設けられた第２の貫通孔と、
前記インターロックピンの先端が当接して動作する第２の位置検出スイッチと、
を備えたことを特徴とする請求項１に記載の引出形収納機器の位置検出装置。
【請求項３】
少なくとも前記第１の位置検出スイッチをケース内に収納し、三次元方向からその位置を固定したことを特徴とする請求項１または請求項２に記載の引出形収納機器の位置検出装置。
【請求項４】
前記引出形収納機器は、引出形真空遮断器であることを特徴とする請求項１乃至請求項３のいずれか１項に記載の引出形収納機器の位置検出装置。
【発明の詳細な説明】
【技術分野】
【０００１】
本発明の実施形態は、金属閉鎖形スイッチギヤに収納される引出形収納機器の位置検出装置に関する。
【背景技術】
【０００２】
従来、金属閉鎖形スイッチギヤには、引出形真空遮断器が主回路と接続する接続位置が設定されており、その位置を位置検出装置で検出するようになっている（例えば、特許文献１参照。）。
【０００３】
この種の位置検出装置を図４に示すが、箱体１には、引出形真空遮断器２が収納されている。引出形真空遮断器２の側面には、台形状に突出した当て板３が固定されている。箱体１には、当て板３の通過で動作する位置検出スイッチ４が固定されており、位置検出が行われている。
【０００４】
引出形真空遮断器２には、回転自在の車輪５が設けられ、床板６に固定された一対のガイドレール７上を移動するようになっている。引出形真空遮断器２の正面側には、サポート板８が固定されており、インターロックピン９が移動自在に貫通している。サポート板８の直下には、貫通孔１０を設けた接続位置板１１が床板６に固定されている。これにより、引出形真空遮断器２の接続位置では、インターロックピン９を貫通孔１０に嵌め込み、接続位置での固定がされるとともに、図示しないインターロック機構で引出形真空遮断器２の開閉操作が制御される。
【０００５】
このような構成において、当て板３と位置検出スイッチ４は、引出形真空遮断器２と箱体１側のそれぞれに取付け加工し、位置検出スイッチ４が確実に動作するように調整しなければならなかった。引出形真空遮断器２は必ずしもガイドレール７上を直線移動せず、遊びを持たせており、また、箱体１の奥まった場所での作業のため、困難な調整作業となっていた。
【先行技術文献】
【特許文献】
【０００６】
【特許文献１】特開平１１−１７８１３０号公報
【発明の概要】
【発明が解決しようとする課題】
【０００７】
本発明が解決しようとする課題は、箱体１に出し入れされる引出形真空遮断器２の位置検出を容易な調整作業で行うことができる引出形収納機器の位置検出装置を提供することにある。
【課題を解決するための手段】
【０００８】
上記課題を解決するために、実施形態の引出形収納機器の位置検出装置は、箱体の床板上を移動する引出形収納機器と、前記引出形収納機器の正面側に設けられたインターロックピンと、前記インターロックピンが貫通するとともに、前記引出形収納機器が主回路と接続する接続位置の前記床板に設けられた第１の貫通孔と、前記インターロックピンの先端が当接して動作する第１の位置検出スイッチと、を備えたことを特徴とする。
【図面の簡単な説明】
【０００９】
【図１】本発明の実施例１に係る引出形収納機器の位置検出装置の構成を示す一部を切欠いた斜視図。
【図２】本発明の実施例１に係る引出形収納機器の位置検出装置に用いられる位置検出スイッチの構成を示す断面図。
【図３】本発明の実施例２に係る引出形収納機器の位置検出装置の構成を示す側面図。
【図４】従来の引出形収納機器の位置検出装置の構成を示す一部を切欠いた斜視図。
【発明を実施するための形態】
【００１０】
以下、図面を参照して本発明の実施例を説明する。
【実施例１】
【００１１】
先ず、本発明の実施例１に係る引出形収納機器の位置検出装置を図１、図２を参照して説明する。図１は、本発明の実施例１に係る引出形収納機器の位置検出装置の構成を示す一部を切欠いた斜視図、図２は、本発明の実施例１に係る引出形収納機器の位置検出装置に用いられる位置検出スイッチの構成を示す断面図である。なお、従来と同様の構成部分は、同一符号を付した。また、引出形収納機器を引出形真空遮断器を用いて説明する。
【００１２】
図１に示すように、箱体１には、引出形真空遮断器２が収納されている。引出形真空遮断器２には、回転自在の車輪５が設けられ、床板６に固定された一対のガイドレール７上を移動するようになっている。引出形真空遮断器２の正面側下部には、サポート板８が固定されており、インターロックピン９が軸方向に移動自在に貫通している。サポート板８の直下には、貫通孔１０（第１の貫通孔）を設けた接続位置板１１が床板６に固定されている。床板６にも貫通孔１０が連通し、その直下には、第１の位置検出スイッチ２０が設けられている。
【００１３】
次に、第１の位置検出スイッチ２０の固定方法を図２を参照して説明する。
【００１４】
スイッチ本体２１は、上部が開放されたケース２２に収納されている。ケース２２の側面には左右方向の寸法を調整する調整部材２３、この側面と直角する側面には紙面前後方向の寸法を調整する調整部材２４、また、底面には上下方向の寸法を調整する調整部材２５が設けられている。調整部材２３、２４、２５により、ＯＮ−ＯＦＦのレバー２６がインターロックピン９の直下に位置するように調整される。スイッチ本体２１は、三次元方向から位置調整を行うことができる。
【００１５】
次に、インターロックピン９の操作を説明する。引出形真空遮断器２を主回路と接続する接続位置まで移動させると、インターロックピン９を貫通孔１０に貫通させ、更に押し込んで先端をレバー２６に当接させ、第１の位置検出スイッチ２０を動作させる。第１の位置検出スイッチ２０では、信号を外部に出力する。なお、貫通孔１０を貫通したインターロックピン９は、従来と同様に、接続位置の固定とともに、図示しないインターロック機構を動作させ、引出形真空遮断器２の開閉操作が制御される。
【００１６】
このように、第１の位置検出スイッチ２０は、インターロックピン９の直下に位置するように調整すればよいので、引出形真空遮断器２の移動時の遊びなどに影響を受けることがなく、調整作業を容易とすることができる。また、外部において、ケース２２内で第１の位置検出スイッチ２０を調整し組立てておき、床板６の下部に挿入するようにすれば、更に調整作業が容易となる。また、箱体１側だけの部材のため、部品点数の削減が図れる。
【００１７】
上記実施例１の引出形収納機器の位置検出装置によれば、インターロックピン９が貫通する貫通孔１０の直下に第１の位置検出スイッチ２０をセットするようにしているので、引出形真空遮断器２側での取付け調整が不要であり、調整作業を容易とすることができる。また、部品点数を削減することができる。
【００１８】
上記実施例１では、収納機器を引出形真空遮断器２を用いて説明したが、引出形の計器用変成器や避雷器などに適用することができる。
【実施例２】
【００１９】
次に、本発明の実施例２に係る引出形収納機器を図３を参照して説明する。図３は、本発明の実施例２に係る引出形収納機器の位置検出装置の構成を示す側面図である。なお、この実施例２が実施例１と異なる点は、断路位置を設けたことである。図３において、実施例１と同様の構成部分においては、同一符号を付し、その詳細な説明を省略する。
【００２０】
図３に示すように、引出形真空遮断器２が主回路と断路する断路位置には、床板６にインターロックピン９が貫通する第２の貫通孔２７を設け、この貫通孔２７の直下に第２の位置検出スイッチ２８を設けている。断路位置において、インターロックピン９を第２の貫通孔２７に貫通させ、その先端を位置検出スイッチ２８のレバーに当接させて動作させるものである。
【００２１】
上記実施例２の引出形収納機器の位置検出装置によれば、実施例１による効果のほかに、断路位置での位置検出を容易な調整作業で設けることができる。
【００２２】
以上述べたような実施形態によれば、引出形収納機器の位置検出を容易な調整作業で行うことができる。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１  箱体
２  引出形真空遮断器
３  当て板
４  位置検出スイッチ
９  インターロックピン
１０  貫通孔（第１の貫通孔）
２０  第１の位置検出スイッチ
２７  第２の貫通孔
２８  第２の位置検出スイッチ
【図１】
2014143867.tif 000003
【図２】
2014143867.tif 000004
【図３】
2014143867.tif 000005
【図４】
2014143867.tif 000006